(57)【要約】      （修正有）【課題】取付箇所に制約がなく、製造コストを安価とすることができる個室使用状況表示具の取付構造を提供する。【解決手段】トイレ個室Ｓを画設する区画体（壁体Ｗ１，Ｗ２，側面パネルＹ，前面パネルＦ１，取付パネルＦ２）と、その一端が区画体に対して、内側及び外側の両方向に回転自在に支持されることにより、開閉自在に取付けられている扉Ｄと、を備えるトイレ個室Ｓに関し、その使用状況を表示する個室使用状況表示具１の取付構造Ｋであり、少なくとも一方向から視認可能である表示部を有し、扉Ｄのトイレ個室Ｓに対する外側面において、表示部が回動自在に取付けられている構造とした。【選択図】図１
2020134844.tif 000002
【特許請求の範囲】
【請求項１】
個室を画設する区画体と、その一端が前記区画体に対して、内側及び外側の両方向に回転自在に支持されることにより、開閉自在に取付けられている扉と、を備える前記個室に関し、
その使用状況を表示する個室使用状況表示具の取付構造であって、
前記個室使用状況表示具は、少なくとも一方向から視認可能である表示部を有し、
前記扉の前記個室に対する外側面において、前記表示部が回動自在に取付けられていることを特徴とする個室使用状況表示具の取付構造。
【請求項２】
前記表示部の回動状態復帰手段を備えることを特徴とする請求項１に記載の個室使用状況表示具の取付構造。
【請求項３】
前記個室使用状況表示具は、
前記扉に対する前記表示部の角度を、暫定的に位置決めするための位置決め手段を備えることを特徴とする請求項１又は請求項２に記載の個室使用状況表示具の取付構造。
【請求項４】
前記表示部は板状体であり、
前記表示部は、前記扉の前記区画体への取付部の側の一端に設けられている鉛直方向の支軸を中心として、前記取付部において回動自在に取付けられていることを特徴とする請求項１乃至請求項３のいずれか１項に記載の個室使用状況表示具の取付構造。
【発明の詳細な説明】
【技術分野】
【０００１】
本発明は、トイレ等の個室における使用状況を外部から確認可能となる表示具の扉への取付構造に関する。
【背景技術】
【０００２】
各種施設に設置されているトイレ等の個室は、多数の利用者が共用するため、外部から容易に使用状況を確認できることが利便性に資する。このような要請に基づき、従来、以下のような個室使用状況表示器５０が提案されている。
【０００３】
すなわち、個室の壁面５５に設置され、第１のマークが付された表示面を有する第１のプレート５１と、閉めると壁面５５と略同一平面を形成する個室の扉５６に設置された、第２のマークが付された表示面を有する第２のプレート５２と、を備え、第１のプレート５１は、壁面５５のなす水平方向と同方向である第１の方向からみた場合に、第１のマークが付された表示面が見えるように、所定角度で壁面５５に設置され、第２のプレート５２は、扉５６を閉めた状態で第１の方向からみた場合に、第２のマークが付された表示面が見えるように、所定角度で扉５６に設置されると共に、扉５６を閉めた状態で第１の方向からみた場合に、第１のプレート５１上の第１のマークを覆い隠して、第２のマークが見えるように、扉５６に設置されていることを特徴とする個室使用状況表示器５０である（図１１）。
【先行技術文献】
【特許文献】
【０００４】
【特許文献１】特開２０１０−２４３６９２号公報
【発明の概要】
【発明が解決しようとする課題】
【０００５】
しかし、従来の個室使用状況表示器５０は、２枚のプレートを使用しているため、製造コストが増加してしまうこと、及び一方向から視認できるにすぎないため、複数方向の出入口が設けられている公共施設のトイレ等では使用に適さないという問題点が存在していた。
【０００６】
ところで、通常、上記個室は内側から施錠されることになるが、体調の急変等に起因して個室内に使用者が倒れる等の場合があり、内側に扉を開けることが難しいことが多い。その際には、室外からの操作により解錠し、扉を当該室外側に開放する必要がある。一方、扉の吊元側に、一般的な個室使用状態を示す表示具を設けた場合には、扉を室外側に開放する際に破損してしまうことになるため、取付箇所に制約を受けるという問題点が存在していた。
【０００７】
本発明は、上記各問題点を解決するためになされたものであり、取付箇所に制約がなく、製造コストを安価とすることができる個室使用状況表示具の取付構造を提供することを目的としている。
【課題を解決するための手段】
【０００８】
上記目的を達成するために、本発明の個室使用状況表示具の取付構造（以下、個室使用状況表示具を「本表示具」、その取付構造を「本取付構造」という場合がある。）は、個室を画設する区画体と、その一端が上記区画体に対して、内側及び外側の両方向に回転自在に支持されることにより、開閉自在に取付けられている扉と、を備える上記個室に関し、その使用状況を表示する個室使用状況表示具の取付構造であって、上記本表示具は、少なくとも一方向から視認可能である表示部を有し、上記扉の上記個室に対する外側面において、上記表示部が回動自在に取付けられていることを特徴としている。
【０００９】
ここで、本表示具は、対象となる個室の使用状態を表示させるための構成要素であり、その表示部を少なくとも一面側から視認できるように形成されているものであればよい。例えば、プレート状である表示板、柱体状の表示体又はペナント状の布材等により形成することができる。また、表示部は、文字若しくは色彩、又はその組み合わせ等を付すことにより、個室の使用状態を識別することができるように形成されているものであればよい。後述するように、本表示具の使用態様により、不使用であることの表示（「空室」、「青の色彩」の表示等）又は使用中であることの表示（「使用中」、「赤の色彩」の表示等）などを行うことができる。
【００１０】
また、個室を画設する区画体は、開放空間から個室を形成するために設ける構造体であり、パネル板、壁材等の公知の部材を用いることができる。加えて、形状、配置態様及び数等に制限はない。
【００１１】
また、本表示具の扉への取付箇所は、個室に対する外側面に突出する位置であれば制限はなく、個室を構成する区画体及び扉の設置態様において、適宜定めることができる。また、その取付方法についても制限はない。但し、本表示具の扉への取付箇所に応じて、扉の開放時（空室時）と、扉の閉止時（個室使用時）を示す表示部の表示を適切に行う必要がある。例えば、本表示具の表示部が扉の表面に対して平行に取り付けられる場合には、表示部に「空室」の表示を行い、扉の表面に対して垂直に取り付けられている場合には、表示部に「使用中」の表示を行う必要がある。
【００１２】
本取付構造によれば、扉の個室に対する外側において、取付部が回動自在に取付けられていることから、緊急時等において、扉を室外側に開放する必要が生じた場合において、扉の吊元側に本表示具が取り付けられていた場合であっても、取付部を中心として表示部を回動させることにより扉の回動動作に追従して、当該表示部を回動させることができる。そのため、任意の箇所に取り付けた場合でも破損することがなく、取付箇所に制約を受けることがない。したがって、個室の使用状態と、扉の位置に対応した使用状態又は不使用状態を示す表示を施すことにより、簡易かつ安価な構造で、容易に個室の使用状態を識別することが可能となる。
【００１３】
さらに、例えば、表示部の全体に色彩を施すことや、透明材料から形成し、当該透明材料中に文字等を配置することにより、使用状況を複数の方向から視認できるように構成することとすれば、複数の入口を有する場所に設けられた個室に対しても適用することが可能となる。
【００１４】
また、上記本取付構造において、上記表示部の回動状態復帰手段を備えることとすれば好適である。
【００１５】
ここで、取付部を回動自在に構成するために、取付けられている扉の移動に追従して、回動軸（支持軸）を中心とした回動動作を実現させる任意の手段（回動手段）を用いることができる。
また、取付部の回動状態復帰手段とは、回動を開始した当初位置に表示部を戻す（復帰させる）ための回動動作を実現させる手段であればよく、例えば、板バネ、コイルスプリング若しくはその他の弾性体の付勢力、又は磁石による磁力の反発力等を利用する機構により構成することができる。
【００１６】
本取付構造によれば、取付部の回動手段及び回動状態復帰手段を備えているため、扉の室外側への解放時及び現状復帰時おいて、手動で表示部の位置を変更させる等の煩雑な作業を省くことができる。
【００１７】
また、上記本取付構造において、上記本表示具は、上記扉に対する上記表示部の角度を、暫定的に位置決めするための位置決め手段を備えることとすれば好適である。
【００１８】
本取付構造によれば、扉に対する取付部の角度を暫定的に位置決めするための位置決め手段を備えているため、扉を室外側に開放する必要性が高くない個室に本表示具を取り付ける場合において、個室使用状況表示具の固定度を向上させることができる。
【００１９】
さらに、上記本取付構造において、上記表示部は板状体であり、上記表示部は、上記扉の前記区画体への取付部の側の一端に設けられている鉛直方向の支軸を中心として、上記取付部において回動自在に取付けられていることとすれば好適である。
【００２０】
ここで、扉の区画体への支持部側の端部とは、厳密に扉の側端部を意味するものではなく、端部に近接する位置をも含む意味で用いている。
【００２１】
本取付構造によれば、本表示具を簡易に構成することができ、容易にその作用効果を実現することができる。
【発明の効果】
【００２２】
本発明によれば、本表示具を任意の箇所に取り付けることが可能となるとともに、製造コストを安価とすることができる個室使用状況表示具の取付構造を実現することが可能となる。
【図面の簡単な説明】
【００２３】
【図１】本発明の個室使用状況表示具の取付構造を適用したトイレ個室（第１実施形態）を示す上面図である。
【図２】本発明に使用される個室使用状況表示具の分解斜視図である。
【図３】（ａ）は、本発明に使用される個室使用状況表示具の表示部の斜視図であり、（ｂ）は、同図のＡ−Ａ断面図（一部）である。
【図４】本発明に使用される個室使用状況表示具に関し、（ａ）は、上面図、（ｂ）は、側面図、（ｃ）は、（ｂ）におけるＢ−Ｂ断面図である。
【図５】本発明の個室使用状況表示具の取付構造（空室時）を示す斜視図である。
【図６】本発明の個室使用状況表示具の取付構造（空室時）を模式的に示す上面図である。
【図７】本発明の個室使用状況表示具の取付構造（トイレ個室使用時）を模式的に示す上面図である。
【図８】本発明の個室使用状況表示具の取付構造（扉の通路側への解放時）を模式的に示す上面図である。
【図９】（ａ）〜（ｃ）は、トイレ個室使用時から扉の通路側への解放時に至る場合における、図３におけるＡ−Ａ断面に相当する部分の断面図である。
【図１０】本発明の個室使用状況表示具の取付構造の第２実施形態（個室使用時）を示す斜視図である。
【図１１】従来の個室使用状況表示器を示す上面図である。
【発明を実施するための形態】
【００２４】
以下、図面を参照しつつ、本取付構造Ｋの一実施形態について、トイレの個室を例として、詳細に説明する。図面の説明においては、同一要素には同一符号を付し、重複する説明を省略する。
なお、下記の説明中、扉Ｄの吊元側とは、開閉可能に取付パネルＦ２に取り付けられている扉Ｄの取付部側（図５等参照）をいう。
【００２５】
［全体構成］
図１に示すように、本取付構造Ｋの適用対象は、一定の広さを有する間仕切りのない開放空間が、複数の個室として区画されているトイレ個室Ｓである。
すなわち、壁体Ｗ１，Ｗ２（区画体）により区画されている全体空間内において、対向する上下の中央部に出入口Ｅが形成されており、各出入口Ｅの間に通路Ｒが形成されている。この通路Ｒに対向して、複数のトイレ個室Ｓが配置されている（なお、以下の説明において、特許請求の範囲の個室に対応する説明をする場合には、「トイレ個室」という語を使用し、便器Ｚを備える場所を示す一般的な説明を行う場合には、単に「トイレ」と称する。）。
【００２６】
各トイレ個室Ｓは、通路Ｒと平行である壁体Ｗ１と、通路Ｒと垂直である１枚若しくは２枚の側面パネルＹ（区画体）、又は通路Ｒと垂直である壁体Ｗ２と、当該通路Ｒと平行である前面パネルＦ１及び取付パネルＦ２（区画体）と、扉Ｄとにより直方体形状に構成されており、その内部に便器Ｚが配置されている。
側面パネルＹ、前面パネルＦ１及び取付パネルＦ２は、所定寸法に形成されている矩形形状である公知のパネル材であり、前面パネルＦ１及び取付パネルＦ２は、壁体Ｗ又は側面パネルＹと接合されている。
【００２７】
扉Ｄは、前面パネルＦ１とともに、トイレ個室Ｓを形成する役割と当該個トイレ個室Ｓへの出入口を形成する役割を果たしており、所定形状に形成されている公知の部材である。この扉Ｄは、取付パネルＦ２に、一端部が回動自在に取付けられており、内側方向及び外側方向に開閉自在となっている。
【００２８】
なお、通常使用時において、扉Ｄは閉止状態以上に通路Ｒ側に開放されないようになっているが、非常時には、通路Ｒ側にも開放される位置にまで回動可能となっている。
また、扉Ｄは、トイレ個室Ｓの空室時（不使用時）には、トイレ個室Ｓの内側に収容されるようになっていることが望ましく、本実施形態でも、そのような構成を前提としている。
【００２９】
また、扉Ｄは、トイレ個室Ｓの側から施解錠できるようになっているとともに、非常時には、通路Ｒ（トイレ個室Ｓの外側）から解錠できるようになっている。
【００３０】
［個室使用状況表示具及びその取付構造］
本表示具１は、透明樹脂製である表示部１１及び回動支持部１５を有する表示板１０と、扉Ｄへの取付部２０を備えている（図２〜図４）。
【００３１】
（表示部）
表示板１０の表示部１１は透明樹脂製であり、青色の着色材料により「空」と表示されており、扉Ｄがトイレ個室Ｓの内側に収納されている場合において、左右の両方向の出入口Ｅから通路Ｒに入ってきた利用者が、いずれの方向からもトイレ個室が不使用であることを視認できるようになっている（詳細は後記する）。
【００３２】
回動支持部１５は、回動を容易に行うことができるように略半円柱状に形成されており、半円部の弦と直行する向きに表示部１１が設けられている。この回動支持部１５は、鉛直方向における上下両端の突出端部１６と、中央部１７とから形成されている。上下の突出端部１６には、支持突起３１の第１挿通孔１６ａが形成されている。
【００３３】
中央部１７は、細長の略十字形状（表示部１１と直行する方向からの側面視）に形成されており、上下及び両側に４箇所の凹部が形成されている。上下方向の一対の凹部は同一形状に形成されているが、左右方向の凹部の形状は異なっている。説明上、回動支持部１５の曲面部の先端側の凹部を第１凹部１８と称する。
【００３４】
中央部１７の鉛直方向に対する横断面は、ピストル形状（Ｊ字形状）に類似する形状に形成されている（図３）。略ピストル形状である横断面は、先端方向に突出する突出部１７ｂと、当該突出部１７ｂに続く、グリップ部分に相当する基端部１７ｃとから形成されている。そして、基端部１７ｃは、外周の９０度の円弧部１７ｄと、内側の階段状部１７ｅを備えており、突出部１７ｂの長さは、円弧部１７ｄを形成する部分の半径の約２倍に形成されている（略ピストル形状に形成されている部分において、階段状部１７ｅと、当該階段状部１７ｅに接する突出部１７ｂの内側周縁部分を、「内側面部１７ａ」という。）。そして、突出部１７ｂは、取付部２０の収納空間の奥行長と、略同一長さに形成されており、当該突出部１７ｂの中点が回動支持部１５の回動中心（後記支持突起３１の位置）と一致することになる。
【００３５】
（取付部）
取付部２０は、取付体２１と、薄板バネ２５と、角度固定板２７（位置決め手段）とを備えている。
【００３６】
直方体形状である取付体２１は一面が開放されており、内部には、表示部１１の回動支持部１５の受け入れ空間が形成されている。すなわち、取付体２１の上下の端部には、回動支持部１５の突出端部１６を収容するための収容端部２２が形成されているとともに、当該各収容端部２２の間にはバネ嵌装部２３が設けられている。
【００３７】
収容端部２２を構成する空間は、突出端部１６の形状である半円柱に対応する形状に形成されている。
また、取付体２１の上下の端部には、支持突起３１の第２挿通孔２１ａが設けられており、当該取付体２１の開放面に対向する側面には、扉Ｄへの取付孔（図示せず）が形成されている（本実施形態では３箇所）。
【００３８】
薄板バネ２５は略Ｖ字状であり、中央部がバネ嵌装部２３の中間位置に取り付けられている。そして、各端部が、回動支持部１５の内側面部１７ａと接するように配置され、回動支持部１５の扉Ｄ方向への近接と離反の移動に追従して、動作可能となっている。
【００３９】
上記薄板バネ２５は、表示板１０の回動支持部１５を押圧する向きに付勢力（復元力）が作用するように、当該バネ嵌装部２３に取り付けられている。
また、表示板１０の回動支持部１５が、取付部２０の受け入れ空間に嵌入され、上下における回動支持部１５の第１挿通孔１６ａと取付体２１の第２挿通孔２１ａの位置が整合した状態で、支軸である支持突起３１が軸挿されることにより、回動自在に軸支されている。
【００４０】
上記回動支持部１５と取付体２１の態様により、鉛直方向の支持突起３１を中心として、表示部１１を回動させる回動手段を構成している（本実施形態では、９０度の範囲で回動可能となっている）。また、表示部１１が回転した場合において、薄板バネ２５が当該回動支持部１５の内側面部１７ａに付勢力を付与することで、回転した向きと反対回りに回転するように、当該薄板バネ２５が回転前の位置に現状復帰することになり、そのための回動復帰手段として動作することになっている。
【００４１】
角度固定板２７は、必要に応じて設ける部材であり、扉Ｄに対する表示板１０の角度を、暫定的に位置決めするための薄板状部材である。この角度固定板２７は、取付体２１の鉛直方向の開放部を塞ぐことができる形状に形成されており、係止片２７ａを、取付体２１の収容端部２２に形成されている係止受具（図示せず）に係合させることにより、当該開放部に嵌脱自在（取り付け及び取り外しを簡易に行いうるよう）に設けることができるようになっている。
【００４２】
本実施形態では、通常状態において、角度固定板２７が取り付けられており、扉Ｄを外側方向に回転させる場合に、当該角固定板２７を取り外すことにより、表示板１０の表示部１１が回動可能となっている。
【００４３】
（個室使用状況表示具の取付構造）
本取付構造Ｋ（第１実施形態）は、本表示具１の取付部２０の取付孔にネジ止めされることにより（符号３２はネジを示す）、扉Ｄの吊元の上縁端部に取り付けられている。その際、表示板１０の表示部１１は、扉Ｄの表面と水平になる向きであって、当該扉Ｄの端部から隣接するトイレ個室Ｓ側の取付パネルＦ２の向きに突出するように配置されている。
【００４４】
［個室使用状況表示具の動作］
続いて、本表示具１の動作について説明する。なお、以下の説明において、既に、本表示具１は、扉Ｄに取り付けられていることを前提とする。
【００４５】
（空室時）
トイレ個室Ｓの空室時（不使用時）には、通常、扉Ｄは、トイレ個室Ｓの内部に収容されている。このとき、表示板１０の表示部１１は、扉Ｄの端部から突出して設けられている。そのため、表示部１１は、扉Ｄの外側面から略垂直となる向きに突出することになり、両側から「空」の文字が視認されることになる。これにより、利用者は、そのトイレ個室Ｓが空室であることを外部から即座に認識することができる（図５，図６）。
【００４６】
（使用時）
トイレ個室Ｓの使用時には、扉Ｄが閉まっており、表示板１０の表示部１１は、扉Ｄと平行になっている。このとき、表示部１１の「空」の表示は外部から目立たなくなっており、扉Ｄが開放されていないため、利用者は、そのトイレ個室Ｓが使用中であることを認識することができる（図７）。
【００４７】
（緊急対応時）
非常時等の緊急対応時において、扉Ｄを通路Ｒ側（トイレ個室Ｓの室外側）に開放することが必要となる場合には、まず、所定の方法で、通路Ｒ側から開錠する。続いて、扉Ｄを通路Ｒ側に開放する。
【００４８】
このとき、表示板１０の表示部１１は、扉Ｄの端部から突出して設けられているため、当該表示部１１の先端が取付パネルＦ２に当接する。そして、この状態で、扉Ｄの先端部を回動させ、当該扉Ｄを開放すると、表示部１１の先端が取付パネルＦ２に当接したまま、取付部２０の支持突起３１を回動軸として、扉Ｄの回動に追従する動作を行うことになる（図８）。
【００４９】
図９（ａ）〜図９（ｃ）は、トイレ個室Ｓの使用時から扉Ｄを通路Ｒ側へ開放する場合における図３のＡ−Ａ断面に相当する部分の断面図であり、各図を参照して、上記回動状態について補足説明する。
【００５０】
まず、トイレ個室Ｓの使用時には、本表示具１における中央部１７の内側面部１７ａが、取付部２０の薄板バネ２５と当接した状態となっている（図９（ａ））。
【００５１】
徐々に、扉Ｄを通路Ｒ側に開放すると、本表示具１の表示部１１の先端が、隣接する取付パネルＦ２に接触した状態となり、中央部１７における階段状部１７ｅの先端部が薄板バネ２５を押圧しながら、回動支持部１５が０度〜９０度の範囲で回転する（図９（ｃ）は、約７０度回転した場合を示す）。
このとき、本表示具１の表示部１１の先端が、隣接する取付パネルＦ２に接触した状態であり、薄板バネ２５が扉Ｄ側に押圧された状態であるため、当該薄板バネ２５には、扉Ｄと離反する向きに復元力が蓄えられた状態である。
【００５２】
その後、扉Ｄを元の使用時の状態に戻す際には、当該扉Ｄを開放した場合と、反対向きに回転させる。上記のとおり、薄板バネ２５には、扉Ｄと離反する向きに復元力が作用しており、回転に伴い、本表示具１の表示部１１の先端における取付パネルＦ２の当接力が小さくなる。そのため、復元力が当接力に優ることになり、薄板バネ２５が、中央部１７における階段状部１７ｅの先端部を押圧し、それに伴い、当該中央部がこれまでと反対回転をし、特段の操作をすることなく、表示板１０の表示部１１が、使用時の位置に復元されることになる（回動復元手段が動作する）（図９（ｃ）→図９（ｂ）→図９（ａ））。
【００５３】
［本取付構造の作用効果］
本取付構造Ｋによれば、本表示具１の表示部１１が扉Ｄの通路Ｒ側の面に、回動自在に取付けられている。そのため、非常時等の際に扉Ｄを通路Ｒ側に開放する必要が生じた場合において、表示板１０の回動支持部１５を中心として表示部１１を回動させることにより、扉Ｄの回動動作に追従するように、当該表示部１１を回動させることにより対応可能となる。
【００５４】
また、本表示具１は、透明材料から形成され、当該透明材料中に青色で「空」と記載されていることから、簡易な構造であるにも関わらず、上下の両方向の出入口Ｅから通路Ｒに入ってきた利用者がいずれの方向からもトイレ個室Ｓが不使用であることを視認できることができる。
【００５５】
また、本取付構造Ｋによれば、本表示具１における取付部２０が、薄板バネ２５を備えており、表示板１０の回動支持部１５とともに、回動手段及び回動状態復帰手段を構成しているため、扉Ｄの通路Ｒ側への解放時及び現状復帰時において、手動で表示部１１の位置を変更させる等の煩雑な作業を省くことができる。
【００５６】
また、本取付構造Ｋによれば、嵌脱自在に角度固定板２７が設けられているため、扉Ｄを通路Ｒ側に開放する必要性が高くない場合において、当該角度固定板２７を装着することにより、扉Ｄに対する表示板１０の角度を暫定的に位置決めすることにより、本表示具１の固定度を向上させることができる。
【００５７】
上記のように、本取付構造Ｋによれば、本表示具１を任意の取付箇所に設けることができる。加えて、本表示具１を簡易に構成することができるため部品点数を削減し、製造コストを削減することができ、容易にその作用効果を実現することが可能となる。
【００５８】
［本個室使用状況表示具の取付構造の第２実施形態］
さらに、本取付構造の第２実施形態について説明する。
第２実施形態の本取付構造Ｋ’は、本表示具１’の扉Ｄへの取付位置と表示板１０’の表示部１１’の記載が異なっている。すなわち、本表示具１’は、扉Ｄの上縁部の略中央部に取り付けられている。そして、表示板１０’の表示部１１’は透明樹脂製であり、赤色の着色材料により「使用中」と表示されている（図１０）。
【００５９】
また、本実施形態では、本表示具１’において、常時、取付部２０に角度固定板２７が取り付けられており、表示部１１’の扉Ｄに対する角度が変化しないようになっている。
【００６０】
上記構成により、扉Ｄが閉止されている場合において、表示部１１’が扉Ｄに突設されているため、上下の２方向の出入口Ｅから通路Ｒに入ってきた利用者がいずれの方向からもトイレ個室Ｓが使用中であることを視認できる。その一方で、本表示具１’が扉Ｄの上縁部の略中央部に取り付けられていることから、扉Ｄがトイレ個室Ｓの内側に収納されている場合には、当該トイレ個室Ｓの内部に隠れた状態となる。そのため、表示部１１’における使用中の表示が視認されることがなく、加えて、扉Ｄが解放されているため、トイレ個室Ｓが空室であると認識される。
【００６１】
本実施形態の本取付構造Ｋ’によっても、第１実施形態の本取付構造Ｋと同様に、任意の箇所に本表示具１’を取り付けることができ、簡易な構造でトイレ個室Ｓの使用状況の有無の判別を行わせることができる。
【００６２】
以上、本発明について、好適な実施形態についての一例を説明したが、本発明は当該実施形態に限られず、本発明の趣旨を逸脱しない範囲で、適宜設計変更が可能である。
【００６３】
例えば、本取付構造の適用対象である個室の形態、区画体等の各種態様（材質、形状、その設置態様を含む等）については、適宜定めることができる。
【００６４】
また、本表示具の構成要素についての仕様、材質、寸法、形状、取付位置等に関しては、基本的な構成を備え、その作用効果を奏するものであれば、種々の構成要素を用いることができる。
【符号の説明】
【００６５】
Ｋ，Ｋ’      個室使用状況表示具の取付構造
Ｓ      トイレ個室
Ｗ１、Ｗ２    壁体（区画体）
Ｙ      側面パネル（区画体）
Ｆ１    前面パネル（区画体）
Ｆ２    取付パネル（区画体）
Ｄ      扉
１,１’    個室使用状況表示具
１０，１０’    表示板
１１，１１’    表示部
１５    回動支持部
１６    突出端部
１７    中央部
１７ａ  内側面部
１８    第１凹部
２０    取付部
２１    取付体
２２    収容端部
２３    バネ嵌装部
２５    薄板バネ
２７    角度固定板（位置決め手段）
３１    支持突起（回動軸）
【図１】
2020134844.tif 000003
【図２】
2020134844.tif 000004
【図３】
2020134844.tif 000005
【図４】
2020134844.tif 000006
【図５】
2020134844.tif 000007
【図６】
2020134844.tif 000008
【図７】
2020134844.tif 000009
【図８】
2020134844.tif 000010
【図９】
2020134844.tif 000011
【図１０】
2020134844.tif 000012
【図１１】
2020134844.tif 000013